(57)【要約】【課題】残り湯追い焚き時の熱量不足を回避しつつ、総合的な運転効率を向上させる。【解決手段】浴槽水の加熱動作が残り湯の追い焚きであるか否かを判定し、残り湯追い焚きであると判定した場合において、残り湯追い焚き実績ありを記憶し、所定期間にわたり残り湯追い焚きが行われなかった場合に、残り湯追い焚き実績なしを記憶すると共に、特定の時間帯において貯湯タンク６内の貯湯量が所定の沸き増し開始条件を満たしたことを検知するとヒートポンプ式加熱手段２を作動させて沸き増し動作を行う制御手段２９とを備え、制御手段２９は、残り湯追い焚き実績ありを記憶している場合、実績なしを記憶している場合よりも沸き増し開始しやすい方向に沸き増し開始条件を変更するようにした。【選択図】図２
2015161466.tif 000002
【特許請求の範囲】
【請求項１】
湯水を貯湯する貯湯タンクと、前記貯湯タンク下部に接続された給水管と、前記貯湯タンク上部に接続された出湯管と、前記貯湯タンク内の湯を熱源として浴槽水を加熱する風呂熱交換器と、前記貯湯タンク下部から前記貯湯タンク上部に湯水を循環させる加熱循環回路と、前記加熱循環回路途中に設けられて前記貯湯タンク内の湯を加熱するヒートポンプ式加熱手段と、浴槽水の加熱動作が残り湯の追い焚きであるか否かを判定し、残り湯追い焚きであると判定した場合において、残り湯追い焚き実績ありを記憶し、所定期間にわたり残り湯追い焚きが行われなかった場合に、残り湯追い焚き実績なしを記憶すると共に、特定の時間帯において前記貯湯タンク内の貯湯量が所定の沸き増し開始条件を満たしたことを検知すると前記ヒートポンプ式加熱手段を作動させて沸き増し動作を行う制御手段とを備え、前記制御手段は、残り湯追い焚き実績ありを記憶している場合、実績なしを記憶している場合よりも沸き増し開始しやすい方向に沸き増し開始条件を変更することを特徴とするヒートポンプ貯湯式給湯装置。
【請求項２】
前記沸き増し開始条件は、前記貯湯タンク側面に複数設けられた貯湯温度センサのうち、特定の貯湯温度センサが所定温度以下となったことを条件とし、残り湯追い焚き実績ありが記憶されている場合は、実績なしを記憶している場合よりも低い位置に設けられた貯湯温度センサを前記特定の貯湯温度センサとすることで沸き増し開始しやすい方向に沸き増し開始条件を変更するようにしたことを特徴とする請求項１記載のヒートポンプ貯湯式給湯装置。
【請求項３】
前記沸き増し開始条件は、前記貯湯タンク側面に複数設けられた貯湯温度センサのうち、特定の貯湯温度センサが所定温度以下となったことを条件とし、残り湯追い焚き実績ありが記憶されている場合は、実績なしを記憶している場合よりも高い所定温度を条件とすることで沸き増し開始しやすい方向に沸き増し開始条件を変更するようにしたことを特徴とする請求項１記載のヒートポンプ貯湯式給湯装置。
【発明の詳細な説明】
【技術分野】
【０００１】
本発明は、貯湯タンク内の湯を熱源として浴槽水を加熱する風呂熱交換器を備えたヒートポンプ貯湯式給湯装置に関するものである。
【背景技術】
【０００２】
従来よりこの種のヒートポンプ貯湯式給湯装置においては、湯水を貯湯する貯湯タンクと、貯湯タンク内の湯を熱源として浴槽水を加熱する風呂熱交換器と、貯湯タンク下部から貯湯タンク上部に湯水を循環させる加熱循環回路の途中に設けられて貯湯タンク内の湯を加熱するヒートポンプ式加熱手段と、昼間の時間帯において貯湯タンク内の貯湯量が所定の沸き増し開始条件が整うとヒートポンプ式加熱手段を作動させて沸き増し動作を行う沸き増し制御手段とを備え、夜間に沸き上げた貯湯タンク内の湯で浴槽水を追い焚き加熱しようとするもので、浴槽の残り湯を追い焚きする残り湯追い焚きの実績があると夜間に貯める湯の沸き上げ温度を高くすることで残り湯追い焚き時の熱量不足を回避しようとしているものであった。
【先行技術文献】
【特許文献】
【０００３】
【特許文献１】特開２０１２−１７７５３４号公報
【発明の概要】
【発明が解決しようとする課題】
【０００４】
ところがこの従来のものでは、沸き上げ温度を高くすることでヒートポンプ式加熱手段の加熱効率が悪化してしまうと共に、貯湯タンクからの自然放熱量も増大し、総合的な運転効率が低下してしまうという問題があった。
【０００５】
そこで、本発明は、残り湯追い焚き時の熱量不足を回避しつつ、総合的な運転効率を向上させることを目的とする。
【課題を解決するための手段】
【０００６】
本発明は上記目的を達成するため、湯水を貯湯する貯湯タンクと、前記貯湯タンク下部に接続された給水管と、前記貯湯タンク上部に接続された出湯管と、前記貯湯タンク内の湯を熱源として浴槽水を加熱する風呂熱交換器と、前記貯湯タンク下部から前記貯湯タンク上部に湯水を循環させる加熱循環回路と、前記加熱循環回路途中に設けられて前記貯湯タンク内の湯を加熱するヒートポンプ式加熱手段と、浴槽水の加熱動作が残り湯の追い焚きであるか否かを判定し、残り湯追い焚きであると判定した場合において、残り湯追い焚き実績ありを記憶し、所定期間にわたり残り湯追い焚きが行われなかった場合に、残り湯追い焚き実績なしを記憶すると共に、特定の時間帯において前記貯湯タンク内の貯湯量が所定の沸き増し開始条件を満たしたことを検知すると前記ヒートポンプ式加熱手段を作動させて沸き増し動作を行う制御手段とを備え、前記制御手段は、残り湯追い焚き実績ありを記憶している場合、実績なしを記憶している場合よりも沸き増し開始しやすい方向に沸き増し開始条件を変更するようにした。
【０００７】
また、前記沸き増し開始条件は、前記貯湯タンク側面に複数設けられた貯湯温度センサのうち、特定の貯湯温度センサが所定温度以下となったことを条件とし、残り湯追い焚き実績ありが記憶されている場合は、実績なしを記憶している場合よりも低い位置に設けられた貯湯温度センサを前記特定の貯湯温度センサとすることで沸き増し開始しやすい方向に沸き増し開始条件を変更するようにした。
【０００８】
また、前記沸き増し開始条件は、前記貯湯タンク側面に複数設けられた貯湯温度センサのうち、特定の貯湯温度センサが所定温度以下となったことを条件とし、残り湯追い焚き実績ありが記憶されている場合は、実績なしを記憶している場合よりも高い所定温度を条件とすることで沸き増し開始しやすい方向に沸き増し開始条件を変更するようにした。
【発明の効果】
【０００９】
本発明によれば、貯湯タンク内に常時多くの熱量を確保することができ、沸き上げ温度を高くすることなく残り湯追い焚き時の熱量不足を回避できるとともに、総合的な運転効率を向上することができる。
【図面の簡単な説明】
【００１０】
【図１】本発明の一実施形態の概略構成図
【図２】同一実施形態の作動を説明するためのフローチャート
【発明を実施するための形態】
【００１１】
次に、本発明の一実施形態のヒートポンプ貯湯式給湯装置を図面に基づいて説明する。
１は貯湯タンクユニット、２はヒートポンプ式加熱手段を構成するヒートポンプユニット、３は給湯栓、４は浴槽、５はリモートコントローラである。
【００１２】
＜貯湯タンクユニット１＞
６は湯水を貯湯するステンレス製の貯湯タンク、７は貯湯タンク６の底部に給水する給水管、８は貯湯タンク６の頂部から出湯する出湯管、９は給水管７から分岐された給水バイパス管、１０は出湯管８からの湯と給水バイパス管９からの水を混合する混合弁、１１は混合弁１０で混合された湯を給湯栓３に導く給湯管、１２は給湯管１１を流れる湯の流量を検出する給湯流量センサ、１３は給湯１１を流れる湯の温度を検出する給湯温度センサ、１４は給水管７途中に設けられ給水圧を減圧する減圧弁、１５は貯湯タンク６上部に連通してもうけられ貯湯タンク６内の湯水の膨張による過圧を逃がす過圧逃がし弁である。
【００１３】
１６は貯湯タンク６内の上部に配置された蛇管状に巻回されたステンレス管よりなる風呂熱交換器、１７は浴槽４と風呂熱交換器１６とを浴槽水が循環可能に接続する風呂循環回路、１８は浴槽水を循環させる風呂循環ポンプ、１９は風呂循環回路１７をバイパスする風呂バイパス管、２０は風呂循環回路１７の風呂バイパス管１９との分岐点または合流点に設けられ、浴槽水を風呂熱交換器１６へ循環させるかバイパスさせるかを切り替える風呂三方弁、２１は浴槽水の温度を検出する風呂温度センサ、２２は一定量以上の流量が流れたことを検知する流水スイッチ、２３は圧力を検出することで浴槽１４内の水位を検出する水位センサである。
【００１４】
２４は給湯管１１から分岐されて風呂循環回路１７に連通する湯張り管、２５は湯張り管２４の流路を開閉する湯張り開閉弁、２６は湯張り管２４を流れる湯の流量を検出する湯張り流量センサである。
【００１５】
２７は貯湯タンク６の底部とヒートポンプユニット２と貯湯タンク６の上部とを湯水が循環可能に接続する加熱循環回路、２８は貯湯タンク６の側面上下に複数設けられてそれぞれ貯湯温度を検出する貯湯温度センサ、２９は給湯流量センサ１２、給湯温度センサ１３、風呂温度センサ２１、流水スイッチ２２、水位センサ２３、貯湯温度センサ２８の検出値が入力され、混合弁１０、風呂循環ポンプ１８、風呂三方弁２０、湯張り開閉弁２５の作動を制御すると共に、ヒートポンプユニット２およびリモートコントローラ５と必要な情報を送受信可能に接続された貯湯制御手段である。ここで、貯湯制御手段２９は、ＭＰＵ等の論理回路を有してメモリを参照しつつ予め記憶されているプログラムに従って作動を制御するものである。
【００１６】
＜ヒートポンプユニット２＞
３０は冷媒を圧縮する圧縮機、３１は一次側に圧縮機３０からの冷媒が流通し二次側が加熱循環回路２７に接続された水熱交換器、３２は水熱交換器３１から流出した冷媒を減圧膨張する減圧膨張弁、３３は減圧膨張弁３２で減圧膨張して低温低圧となった冷媒を蒸発させる蒸発器、３４は圧縮機３０と水熱交換器３１と減圧膨張弁３２と蒸発器３３とを冷媒が循環可能に接続する冷媒循環回路、３５は蒸発器３３に熱源としての空気を送風する送風機である。
【００１７】
冷媒循環回路３４には、Ｒ４１０ＡなどのＨＦＣ冷媒や、Ｒ３２冷媒などのＣＯ２冷媒に比べて低圧で作動する冷媒が用いられ、給水を約６５℃程度の温度まで効率よく加熱可能なものとしている。なお、高圧で作動するＣＯ２冷媒を用いて約９０℃程度の温度まで加熱可能な構成としてもよい。
【００１８】
３６は水熱交換器３１入口側の加熱循環回路２７に設けられた加熱循環ポンプ、３７は圧縮機３０から吐出された冷媒の温度を検出する吐出温度センサ、３８は水熱交換器３１に流入する水の温度を検出する入水温度センサ、３９は水熱交換器３１で加熱された湯水の温度を検出する沸き上げ温度センサ、４０は外気温度を検出する外気温度センサ、４１は吐出温度センサ３７、入水温度センサ３８、沸き上げ温度センサ３９、外気温度センサ４０の検出値が入力され、圧縮機３０、減圧膨張弁３２、送風機３５、加熱循環ポンプ３６の作動を制御すると共に、貯湯タンクユニット１の貯湯制御手段２９と必要な情報を送受信可能に接続された加熱制御手段である。ここで、加熱制御手段４１は、ＭＰＵ等の論理回路を有してメモリを参照しつつ予め記憶されているプログラムに従って作動を制御するものである。
【００１９】
＜リモートコントローラ５＞
４２は給湯に関する各種の情報（給湯設定温度、風呂設定温度、タンク残湯量、給湯装置の作動状態、日時等）を表示するドットマトリクス液晶型の表示部、４３は給湯設定温度、風呂設定温度、湯張り設定量等の設定を行う十字キー、４４は風呂自動運転を行わせる風呂自動キー、４５は浴槽水の追い焚き運転を行わせる追い焚きキー、４６は給湯装置の作動状態を表示部４２に表示させたり、各操作キーの操作に応じた情報を表示部４２に表示させるよう制御すると共に、貯湯タンクユニット１の貯湯制御手段２９と必要な情報を送受信可能に接続されたリモコン制御手段である。ここで、リモコン制御手段４６は、ＭＰＵ等の論理回路を有してメモリを参照しつつ予め記憶されているプログラムに従って作動を制御するものである。
【００２０】
＜給湯動作＞
次に、給湯時の動作について説明する。給湯栓３が開かれると、貯湯タンク６底部に給水管７からの水が流入すると共に、出湯管８から貯湯タンク６上部の高温の湯が流出し、混合弁１０によって給水バイパス管９からの水と混合されて給湯管１１から流出する。そして、給湯流量センサ１２が給湯の開始を検知すると、貯湯制御手段２９は給湯温度センサ１３が検知する給湯温度が給湯設定温度と一致するように混合弁１０の開度をフィードバック制御して、給湯栓３が閉じられるまで給湯設定温度の給湯が行われる。
【００２１】
このとき、貯湯制御手段２９は給湯に消費された湯量（熱量）を、給湯流量、給湯温度、給水温度から算出して当日分の給湯負荷として積算して記憶するようにしている。そして、貯湯制御手段２９は一日ごと複数日（ここでは７日間）分の積算給湯負荷を複数日（ここでは７日間）にわたり記憶するようにしている。
【００２２】
＜風呂動作＞
次に、リモートコントローラ５の風呂自動キー４４が操作された場合の風呂動作について説明する。風呂自動キー４４が操作されると、貯湯制御手段２９は、風呂三方弁２０を風呂バイパス管１９側にした状態で風呂循環ポンプ１８を駆動し、流水スイッチ２２で流水を検出するか否かによって浴槽４内の残り湯の有無を検出する。
【００２３】
流水スイッチ２２がＯＮしないことを確認すると、浴槽４に残り湯なしとして、湯張り開閉弁２５を開弁すると共に混合弁１０を風呂設定温度となるように制御して、湯張り設定量の湯張りを開始する。
【００２４】
湯張り流量センサ２６が湯張り設定量をカウントすると、湯張り開閉弁２５を閉弁した後、風呂循環ポンプ１８を駆動して流水スイッチ２２で流水があることを確認し、風呂温度センサ２１で検出する浴槽水の温度が風呂設定温度より低い場合は、風呂三方弁２０を風呂熱交換器１６側に切り替えて、浴槽水の追い焚き動作を行い、浴槽水の温度が風呂設定温度に上昇すると、湯張り完了をリモートコントローラ５で報知する。
【００２５】
このとき、貯湯制御手段２９は湯張りに消費された湯量（熱量）を、給湯流量、給湯温度、給水温度から算出して当日分の給湯負荷として積算して記憶するようにしている。
【００２６】
一方、風呂自動キー４４が操作されたときに、浴槽４内に前日の残り湯があった場合は、あるいは追い焚きキー４５が操作されると、残り湯の有無の確認時に流水スイッチ２２で流水を検知すると、残り湯ありのために風呂三方弁２０を風呂熱交換器１６側に切り替えて、浴槽水の追い焚き動作を行い、風呂温度センサ２１が検出する浴槽水の温度が風呂設定温度に達すると、風呂循環ポンプ１８の駆動を停止して追い焚き完了をリモートコントローラ５で報知する。
【００２７】
このとき貯湯制御手段２９は残り湯の温度を検出した際に、風呂設定温度との温度差が一定値（例えば５℃）以上ある場合は、低温の残り湯追い焚きであると判定して、残り湯追い焚き実績ありを記憶するようにしている。
【００２８】
そして、貯湯制御手段２９は、浴槽水の追い焚き動作の度に上記残り湯追い焚きか否かの判定を行い、所定期間（例えば３日間）にわたり残り湯追い焚き実績がない場合に残り湯追い焚き実績なしを記憶するようにしている。
【００２９】
＜沸き上げ動作＞
次に、沸き上げ動作について説明する。
深夜時間帯の開始時刻になると、貯湯制御手段２９は、記憶していた過去複数日分の積算給湯負荷から翌日の給湯負荷を予測し、目標貯湯量を算出する。貯湯温度センサ２８で検出する現在の貯湯タンク６の貯湯量を目標貯湯量から減算し、深夜時間帯の間に沸き上げる沸き上げ目標量を算出する。沸き上げ目標量と、予め定められた沸き上げ目標温度と、貯湯タンク６最下部の貯湯温度センサ２８で検出する給水温度と、予め数値として記憶しているヒートポンプユニット２の加熱能力とから沸き上げ必要時間を算出する。深夜時間帯の終了時刻から沸き上げ必要時間を遡って沸き上げ開始時刻を算出する。
【００３０】
そして、沸き上げ開始時刻が到来すると、貯湯制御手段２９は、加熱制御手段４１に対して沸き上げ運転の開始指示を出力し、加熱制御手段４１は、沸き上げ温度センサ３９で検出する温度が沸き上げ目標温度と一致するように圧縮機３０、減圧膨張弁３２、送風機３５、加熱循環ポンプ３６を駆動して、ヒートポンプサイクルによる沸き上げ運転を開始する。
【００３１】
貯湯タンク６最下部の貯湯温度センサ２８が所定の沸き上げ終了温度以上を検出すると、沸き上げが終了したと判断して、貯湯制御手段２９は沸き上げ運転の停止指示を加熱制御手段４１に対して出力し、加熱制御手段４１は圧縮機３０、減圧膨張弁３２、送風機３５、加熱循環ポンプ３６を駆動停止処理してヒートポンプサイクルによる沸き上げ運転を停止する。なお、沸き上げが終了する前に深夜時間帯の終了時刻となると、沸き上げ運転を停止するようにしている。
【００３２】
＜沸き増し動作＞
次に、沸き増し動作について図２のフローチャートに基づいて説明する。
特定の時間帯の開始時刻である深夜時間帯の終了時刻になると、貯湯制御手段２９は貯湯温度センサ２８で検出する現在の貯湯量を確認し（ステップＳ１）、この貯湯量と給湯負荷に応じて算出された目標貯湯量から減算して不足量を算出し、この不足量と、沸き上げ目標温度と、給水温度と、加熱能力とから、不足分を昼間時間帯に沸き増すのに要する時間（予測沸き増し時間）を算出する（ステップＳ２）。
【００３３】
続くステップＳ３では、貯湯制御手段２９は、残り湯追い焚き実績ありが記憶されているか否かを確認し、残り湯追い焚き実績が記憶されている場合にはステップＳ４に進み、沸き増し動作を開始する条件を予め定められた沸き増し開始条件１とし、残り湯追い焚き実績ありが記憶されていない場合にはステップＳ５に進み、沸き増し動作を開始する条件を予め定められた沸き増し開始条件２とする。
【００３４】
ここで、沸き増し開始条件１は、貯湯タンク６の上から４番目の貯湯温度センサ２８が５０℃を下回ったことを沸き増し動作の開始の条件とし、沸き増し開始条件２は貯湯タンク６の上から３番目の貯湯温度センサ２８が５０℃を下回ったことを沸き増し動作の開始の条件としており、沸き増し開始条件１の方が貯湯タンク６からの出湯量が少ない状態で沸き増し開始されるため沸き増し開始条件２よりも沸き増し開始しやすい条件としている。
【００３５】
次に、ステップＳ６では、予測沸き増し時間があるか否かを確認し、予測沸き増し時間がある場合には、ＹｅｓでステップＳ７へ進み、ステップＳ４またはステップＳ５で定めた沸き増し開始条件が成立するか否かを監視する。
【００３６】
給湯や風呂運転によって貯湯タンク６内の熱量が消費され、沸き増し開始条件が成立すると（ステップＳ７でＹｅｓ）、貯湯制御手段２９は、加熱制御手段４１に対して沸き増し運転の開始指示を出力し、加熱制御手段４１は、沸き上げ温度センサ３９で検出する温度が沸き上げ目標温度と一致するように圧縮機３０、減圧膨張弁３２、送風機３５、加熱循環ポンプ３６を駆動して、ヒートポンプサイクルによる沸き増し運転を開始する（ステップＳ８）。このとき、貯湯制御手段２９は沸き増し運転の作動時間を計測し、予測沸き増し時間から減算するようにしている。
【００３７】
そして、貯湯制御手段２９は、沸き増し動作によって沸き増し停止条件が成立したか否かを監視し（ステップＳ９）、沸き増し停止条件が成立すると、貯湯制御手段２９は沸き増し運転の停止指示を加熱制御手段４１に対して出力し、加熱制御手段４１は圧縮機３０、減圧膨張弁３２、送風機３５、加熱循環ポンプ３６を駆動停止処理してヒートポンプサイクルによる沸き増し運転を停止する（ステップＳ１０）。
【００３８】
ここで、沸き増し停止条件は、貯湯タンク６の最下部の貯湯温度センサ２８が５０℃以上となるか、予測沸き増し時間の残り時間が０になるか、特定の時間帯の終了時刻である深夜時間帯の開始時刻になるかのいずれかの条件が成立したことを条件としている。
【００３９】
沸き増し動作を停止した後は、前記ステップＳ６に戻り、予測沸き増し時間の残り時間があるか否かを確認し、予測沸き増し時間がある場合には、ＹｅｓでステップＳ７へ進み、上記の動作を行い、予測沸き増し時間の残り時間が０である場合には、ＮｏでステップＳ１１へ進み、沸き増し動作を開始させる条件を沸き増し開始条件３とする。
【００４０】
ここで、沸き増し開始条件３は、貯湯タンク６内の湯が空っぽになってしまうことを防止するために最低貯湯量を確保する条件で、ここでは貯湯タンク６の最上部の貯湯温度センサ２８が５０℃を下回ったことを沸き増し動作の開始の条件としており、上記の沸き増し開始条件１および２よりも沸き増し開始し難い条件としている。
【００４１】
沸き増し開始条件３が設定された後は、沸き増し開始条件３が成立すると（ステップＳ７でＹｅｓ）、貯湯制御手段２９は、加熱制御手段４１に対して沸き増し運転の開始指示を出力し、加熱制御手段４１は、沸き上げ温度センサ３９で検出する温度が沸き上げ目標温度と一致するように圧縮機３０、減圧膨張弁３２、送風機３５、加熱循環ポンプ３６を駆動して、ヒートポンプサイクルによる沸き増し運転を開始する（ステップＳ８）。
【００４２】
そして、貯湯制御手段２９は、沸き増し動作によって沸き増し停止条件が成立したか否かを監視し（ステップＳ９）、沸き増し停止条件が成立すると、貯湯制御手段２９は沸き増し運転の停止指示を加熱制御手段４１に対して出力し、加熱制御手段４１は圧縮機３０、減圧膨張弁３２、送風機３５、加熱循環ポンプ３６を駆動停止処理してヒートポンプサイクルによる沸き増し運転を停止する（ステップＳ１０）。
【００４３】
ここで、沸き増し停止条件は沸き増し開始条件３が設定されている場合は、貯湯タンク６の上から２番目の貯湯温度センサ２８が５０℃以上となることを沸き増し停止条件として、全くお湯が使えない状況を回避するためだけの最低貯湯量を確保するようにしている。
【００４４】
以上のように、残り湯追い焚き実績ありが記憶されている場合には、実績なしを記憶している場合よりも沸き増し開始しやすい方向に沸き増し開始条件を変更することによって、貯湯タンク６内に常時多くの熱量を確保することができ、沸き上げ目標温度を高くすることなく残り湯追い焚きを行う時の熱量不足を回避できるとともに、沸き上げ目標温度を高くしなくとも残り湯追い焚きに必要な熱量を確保できるために、貯湯タンク６からの自然放熱量が減少し、さらにはヒートポンプサイクルの加熱効率も低下しないため、総合的な運転効率を向上することができる。
【００４５】
一方で、残り湯追い焚き実績なしが記憶されている場合には、実績ありを記憶している場合よりも沸き増し開始し難い方向に沸き増し開始条件が変更されるため、沸き増しを行ってから実際に給湯等に消費されるまでのタイムラグが少なくなり、貯湯タンク６からの無駄な自然放熱量を低減することができる。
【００４６】
なお、沸き増し開始条件は上記の例に限定されず、例えば、複数の貯湯温度センサ２８のうち、所定の位置の貯湯温度センサ２８（ここでは貯湯タンク６の上から３番目の貯湯温度センサ２８）が所定温度以下となったことを条件とし、残り湯追い焚き実績ありが記憶されている場合は所定温度を５５℃とし、実績なしが記憶されている場合は所定温度を５０℃として、残り湯追い焚き実績ありが記憶されている場合は実績なしのときよりも高い所定温度を条件とすることで沸き増し開始しやすい方向に沸き増し開始条件を変更するようにしてもよいものである。
【００４７】
また、本発明は上記実施形態に限定されるものではなく、発明の要旨を変更しない範囲で種々の改変が可能なものであり、例えば、風呂熱交換器１６を貯湯タンク６の内部に設けた形態としているが、これに限定されず、風呂熱交換器を貯湯タンク６の外部に設け、風呂熱交換器の一次側に浴槽水を加熱するための熱源として貯湯タンク６内の湯が循環するようにした構成としてもよい。
【符号の説明】
【００４８】
２  ヒートポンプユニット（ヒートポンプ式加熱手段）
６  貯湯タンク
７  給水管
８  出湯管
１６  風呂熱交換器
２７  加熱循環回路
２８  貯湯温度センサ
２９  貯湯制御手段
【図１】
2015161466.tif 000003
【図２】
2015161466.tif 000004